(57)【要約】【課題】特定遊技状態（大当り状態）の終了後において保留されている始動条件の成立のうちの所定条件を満たしている始動条件の成立に基づき変動表示装置の変動表示を行っている状態（保留変動状態）中における変動表示回数を考慮した適切な遊技関連情報を管理することができる遊技用管理装置及び遊技用システムを提供する。【解決手段】保留変動状態中において、パチンコ機から出力された超短変動信号がホールコンピュータに入力され、該ホールコンピュータにおいて、保留変動状態中における変動表示回数（＊１，＊４）が集計され、該＊１を除いて確率変動状態信号の入力がない期間の低確Ｓが集計され、該＊４を除いて確率変動状態信号の入力がある期間の高確Ｓが集計されるので、該低確Ｓ及び高確Ｓが大当り状態の終了後のみ極端に上がってしまうことがなく、遊技場にとって、出玉率の調整の指標として用いる適切なデータとなる。【選択図】        図３
2005006861.tif 000002
【特許請求の範囲】
【請求項１】
複数種類の識別情報を変動表示可能な変動表示装置を備え、遊技球を遊技領域に打ち込むことにより遊技が行われ、該打ち込まれた遊技球が前記遊技領域に設けられた始動入賞領域を通過したことに基づき前記変動表示装置の変動表示を行う始動条件が成立し、該成立した始動条件が保留され、該保留されている始動条件の成立に基づく前記変動表示装置の変動表示が行われた後の表示結果が特定の表示態様となったときに遊技者に有利な特定遊技状態となり、前記変動表示装置の変動表示が行われた後の表示結果が特別の表示態様となったときに前記特定遊技状態を発生する割合が向上する特別遊技状態となる遊技機での遊技に関連して発生した遊技関連情報を管理する遊技用管理装置であって、
前記遊技機から出力される、前記変動表示装置の変動表示を行っている旨を示す変動情報を入力する変動情報入力手段と、
前記遊技機から出力される、前記特定遊技状態が発生した旨を示す特定遊技状態情報を入力する特定遊技状態情報入力手段と、
前記遊技機から出力される、前記特別遊技状態が発生した旨を示す特別遊技状態情報を入力する特別遊技状態情報入力手段と、
前記遊技機から出力される、少なくとも前記特定遊技状態の終了後において前記保留されている始動条件の成立のうちの所定数以上の始動条件の成立又は該特定遊技状態中に発生した始動条件の成立に基づき前記変動表示装置の変動表示を行っている状態を示す保留変動状態情報を入力する保留変動状態情報入力手段と、
前記変動情報入力手段に入力された変動情報に基づいて、単位時間当りに前記変動表示装置の変動表示が行われた変動表示回数である単位時間当り変動表示回数を集計する単位時間当り変動表示回数集計手段と、
前記変動情報入力手段に入力された変動情報と前記特定遊技状態情報入力手段に入力された特定遊技状態情報に基づいて、一の特定遊技状態の終了後から次の特定遊技状態の発生までの間において前記変動表示装置の変動表示が行われた変動表示回数である特定遊技状態間変動表示回数を集計する特定遊技状態間変動表示回数集計手段と、
前記単位時間当り変動表示回数集計手段による集計結果と前記特定遊技状態間変動表示回数集計手段による集計結果を出力する出力手段と、を備え、
前記単位時間当り変動表示回数集計手段は、前記保留変動状態情報入力手段に保留変動状態情報が入力されている期間における前記変動情報が示す変動表示回数を除いて前記特別遊技状態情報入力手段に特別遊技状態情報が入力されていない期間における前記単位時間当り変動表示回数を集計すると共に、前記保留変動状態情報入力手段に保留変動状態情報が入力されている期間における前記変動情報が示す変動表示回数を除いて前記特別遊技状態情報入力手段に特別遊技状態情報が入力されている期間における前記単位時間当り変動表示回数を集計し、
前記特定遊技状態間変動表示回数集計手段は、前記保留変動状態情報入力手段に保留変動状態情報が入力されている期間における前記変動情報が示す変動表示回数を含んで前記特別遊技状態情報入力手段に特別遊技状態情報が入力されていない期間における前記特定遊技状態間変動表示回数を集計すると共に、前記保留変動状態情報入力手段に保留変動状態情報が入力されている期間における前記変動情報が示す変動表示回数を含んで前記特別遊技状態情報入力手段に特別遊技状態情報が入力されている期間における前記特定遊技状態間変動表示回数を集計することを特徴とする遊技用管理装置。
【請求項２】
複数種類の識別情報を変動表示可能な変動表示装置を備え、遊技球を遊技領域に打ち込むことにより遊技が行われ、該打ち込まれた遊技球が前記遊技領域に設けられた始動入賞領域を通過したことに基づき前記変動表示装置の変動表示を行う始動条件が成立し、該成立した始動条件が保留され、該保留されている始動条件の成立に基づく前記変動表示装置の変動表示が行われた後の表示結果が特定の表示態様となったときに遊技者に有利な特定遊技状態となり、前記変動表示装置の変動表示が行われた後の表示結果が特別の表示態様となったときに前記特定遊技状態を発生する割合が向上する特別遊技状態となる遊技機と、
該遊技機での遊技に関連して発生した遊技関連情報を管理する遊技用管理装置と、から構成される遊技用システムであって、
前記遊技機は、
前記変動表示装置の変動表示を行っている旨を示す変動情報を出力する変動情報出力手段と、
前記特定遊技状態が発生した旨を示す特定遊技状態情報を出力する特定遊技状態情報出力手段と、
前記特別遊技状態が発生した旨を示す特別遊技状態情報を出力する特別遊技状態情報出力手段と、
少なくとも前記特定遊技状態の終了後において前記保留されている始動条件の成立のうちの所定数以上の始動条件の成立又は該特定遊技状態中に発生した始動条件の成立に基づき前記変動表示装置の変動表示を行っている状態を示す保留変動状態情報を出力する保留変動状態情報出力手段と、を備え、
前記遊技用管理装置は、
前記遊技機から出力される前記変動情報を入力する変動情報入力手段と、
前記遊技機から出力される前記特定遊技状態情報を入力する特定遊技状態情報入力手段と、
前記遊技機から出力される前記特別遊技状態情報を入力する特別遊技状態情報入力手段と、
前記遊技機から出力される前記保留変動状態情報を入力する保留変動状態情報入力手段と、
前記変動情報入力手段に入力された変動情報に基づいて、単位時間当りに前記変動表示装置の変動表示が行われた変動表示回数である単位時間当り変動表示回数を集計する単位時間当り変動表示回数集計手段と、
前記変動情報入力手段に入力された変動情報と前記特定遊技状態情報入力手段に入力された特定遊技状態情報に基づいて、一の特定遊技状態の終了後から次の特定遊技状態の発生までの間において前記変動表示装置の変動表示が行われた変動表示回数である特定遊技状態間変動表示回数を集計する特定遊技状態間変動表示回数集計手段と、
前記単位時間当り変動表示回数集計手段による集計結果と前記特定遊技状態間変動表示回数集計手段による集計結果を出力する出力手段と、を備え、
前記単位時間当り変動表示回数集計手段は、前記保留変動状態情報入力手段に保留変動状態情報が入力されている期間における前記変動情報が示す変動表示回数を除いて前記特別遊技状態情報入力手段に特別遊技状態情報が入力されていない期間における前記単位時間当り変動表示回数を集計すると共に、前記保留変動状態情報入力手段に保留変動状態情報が入力されている期間における前記変動情報が示す変動表示回数を除いて前記特別遊技状態情報入力手段に特別遊技状態情報が入力されている期間における前記単位時間当り変動表示回数を集計し、
前記特定遊技状態間変動表示回数集計手段は、前記保留変動状態情報入力手段に保留変動状態情報が入力されている期間における前記変動情報が示す変動表示回数を含んで前記特別遊技状態情報入力手段に特別遊技状態情報が入力されていない期間における前記特定遊技状態間変動表示回数を集計すると共に、前記保留変動状態情報入力手段に保留変動状態情報が入力されている期間における前記変動情報が示す変動表示回数を含んで前記特別遊技状態情報入力手段に特別遊技状態情報が入力されている期間における前記特定遊技状態間変動表示回数を集計することを特徴とする遊技用システム。
【請求項３】
請求項１又は２に記載した遊技用管理装置又は遊技用システムであって、
前記遊技用管理装置は、前記保留変動状態情報入力手段に保留変動状態情報が入力されている期間における前記変動情報が示す変動表示回数を集計する保留変動状態中変動表示回数集計手段を備え、
前記出力手段は、該保留変動状態中変動表示回数集計手段による集計結果を出力することを特徴とする遊技用管理装置又は遊技用システム。
【請求項４】
請求項３に記載した遊技用管理装置又は遊技用システムであって、
前記遊技用管理装置は、前記保留変動状態中変動表示回数集計手段による集計結果と前記特定遊技状態情報入力手段に入力された特定遊技状態情報に基づいて、前記保留変動状態情報入力手段に保留変動状態情報が入力されている期間における前記特定遊技状態の発生率を算出する保留変動状態中特定遊技状態発生率算出手段を備え、
前記出力手段は、該保留変動状態中特定遊技状態発生率算出手段による算出結果を出力することを特徴とする遊技用管理装置又は遊技用システム。
【発明の詳細な説明】
【０００１】
【発明の属する技術分野】
本発明は、遊技機での遊技に関連して発生した遊技関連情報を管理する遊技用管理装置及び該遊技機と該遊技用管理装置とを備える遊技用システムに係り、特に保留変動状態中における変動表示回数を考慮した適切な遊技関連情報を管理することができるものに関する。
【０００２】
【従来の技術】
従来より、遊技装置の動作結果に従って発生する特定遊技状態の発生確率が変動する弾球遊技機を管理する管理装置であって、特定遊技状態の発生確率の変動が開始されてから次の特定遊技状態の発生までの前記遊技装置の遊技のための動作の実行回数に関するデータを集計するものが知られている（例えば特許文献１を参照）。
【０００３】
【特許文献１】
特開平７−６８０４１号公報（第２頁，第１３頁，図９）
【０００４】
【発明が解決しようとする課題】
最近では、複数種類の識別情報（特別図柄）を変動表示可能な変動表示装置を備え、遊技球（パチンコ玉）を遊技領域に打ち込むことにより遊技が行われ、該打ち込まれた遊技球が前記遊技領域に設けられた始動入賞領域（始動入賞口）を通過したことに基づき前記変動表示装置の変動表示を行う始動条件が成立し、該成立した始動条件が保留され、該保留されている始動条件の成立（保留玉）に基づく前記変動表示装置の変動表示が行われた後の表示結果が特定の表示態様となったときに遊技者に有利な特定遊技状態（大当り状態）となり、前記変動表示装置の変動表示が行われた後の表示結果が特別の表示態様となったときに前記特定遊技状態を発生する割合が向上する特別遊技状態（確率変動状態）となる遊技機（パチンコ機）において、前記保留される始動条件の成立の上限数を増加させたり、前記保留される始動条件の成立の上限数を無くしたりすることが考えられている。このような遊技機では、特定遊技状態中に成立した始動条件が一旦保留され、前記特定遊技状態の終了後に、該保留されている始動条件の成立に基づいて前記変動表示装置の変動表示が行われて該変動表示を行っている旨を示す変動情報（スタート信号）が出力される。
【０００５】
しかしながら、従来の管理装置では、前記遊技機から出力された変動情報に基づいて単位時間当りの変動表示回数を集計するにあたり、特定遊技状態中に成立した始動条件の成立に基づく変動表示も含め、特別遊技状態でない低確率状態中の単位時間当たりの変動表示回数（いわゆる低確Ｓ）と、特別遊技状態である高確率状態中の単位時間当たりの変動表示回数（いわゆる高確Ｓ）とが集計されてしまうため、該集計された低確Ｓと高確Ｓが特定遊技状態の終了後のみ極端に上がってしまうこととなり、該集計された低確Ｓと高確Ｓに基づいて遊技機の出玉率の調整（いわゆる釘調整）を行う遊技場にとっては、該出玉率の調整の指標として用いる適切なデータではなかった。
【０００６】
本発明は、このような背景のもとになされたものであり、その目的は、特定遊技状態の終了後において保留されている始動条件の成立のうちの所定条件を満たしている始動条件の成立に基づき変動表示装置の変動表示を行っている状態（保留変動状態）中における変動表示回数を考慮した適切な遊技関連情報を管理することができる遊技用管理装置及び遊技用システムを提供することにある。
【０００７】
【課題を解決するための手段】
本発明は、前記課題を解決するために、次のような手段を採る。なお後述する発明の実施の形態の説明及び図面で使用した符号を参考のために括弧書きで付記するが、本発明の構成要素は該付記したものには限定されない。
【０００８】
まず請求項１に係る発明は、複数種類の識別情報（特別図柄）を変動表示可能な変動表示装置（１２）を備え、遊技球（パチンコ玉）を遊技領域（１１）に打ち込むことにより遊技が行われ、該打ち込まれた遊技球が前記遊技領域に設けられた始動入賞領域（始動入賞口１３）を通過したことに基づき前記変動表示装置の変動表示を行う始動条件が成立し、該成立した始動条件が保留され、該保留されている始動条件の成立（保留玉）に基づく前記変動表示装置の変動表示が行われた後の表示結果が特定の表示態様となったときに遊技者に有利な特定遊技状態（大当り状態）となり、前記変動表示装置の変動表示が行われた後の表示結果が特別の表示態様となったときに前記特定遊技状態を発生する割合が向上する特別遊技状態（確率変動状態）となる遊技機（パチンコ機１０）での遊技に関連して発生した遊技関連情報を管理する遊技用管理装置（ホールコンピュータ２０）であって、前記遊技機から出力される、前記変動表示装置の変動表示を行っている旨を示す変動情報（スタート信号）を入力する変動情報入力手段（通信部２１）と、前記遊技機から出力される、前記特定遊技状態が発生した旨を示す特定遊技状態情報（大当り状態信号）を入力する特定遊技状態情報入力手段（通信部２１）と、前記遊技機から出力される、前記特別遊技状態が発生した旨を示す特別遊技状態情報（確率変動状態信号）を入力する特別遊技状態情報入力手段（通信部２１）と、前記遊技機から出力される、少なくとも前記特定遊技状態の終了後において前記保留されている始動条件の成立のうちの所定数以上の始動条件の成立又は該特定遊技状態中に発生した始動条件の成立に基づき前記変動表示装置の変動表示を行っている状態（保留変動状態）を示す保留変動状態情報（超短変動信号）を入力する保留変動状態情報入力手段（通信部２１）と、前記変動情報入力手段に入力された変動情報に基づいて、単位時間当りに前記変動表示装置の変動表示が行われた変動表示回数である単位時間当り変動表示回数（Ｓ）を集計する単位時間当り変動表示回数集計手段（制御部２２）と、前記変動情報入力手段に入力された変動情報と前記特定遊技状態情報入力手段に入力された特定遊技状態情報に基づいて、一の特定遊技状態の終了後から次の特定遊技状態の発生までの間において前記変動表示装置の変動表示が行われた変動表示回数である特定遊技状態間変動表示回数（ＴＳ）を集計する特定遊技状態間変動表示回数集計手段（制御部２２）と、前記単位時間当り変動表示回数集計手段による集計結果と前記特定遊技状態間変動表示回数集計手段による集計結果を出力する出力手段（ディスプレイ２４又はプリンタ２５）と、を備え、前記単位時間当り変動表示回数集計手段は、前記保留変動状態情報入力手段に保留変動状態情報が入力されている期間における前記変動情報が示す変動表示回数を除いて前記特別遊技状態情報入力手段に特別遊技状態情報が入力されていない期間における前記単位時間当り変動表示回数（低確Ｓ）を集計すると共に、前記保留変動状態情報入力手段に保留変動状態情報が入力されている期間における前記変動情報が示す変動表示回数を除いて前記特別遊技状態情報入力手段に特別遊技状態情報が入力されている期間における前記単位時間当り変動表示回数（高確Ｓ）を集計し、前記特定遊技状態間変動表示回数集計手段は、前記保留変動状態情報入力手段に保留変動状態情報が入力されている期間における前記変動情報が示す変動表示回数を含んで前記特別遊技状態情報入力手段に特別遊技状態情報が入力されていない期間における前記特定遊技状態間変動表示回数（低確ＴＳ）を集計すると共に、前記保留変動状態情報入力手段に保留変動状態情報が入力されている期間における前記変動情報が示す変動表示回数を含んで前記特別遊技状態情報入力手段に特別遊技状態情報が入力されている期間における前記特定遊技状態間変動表示回数（高確ＴＳ）を集計することを特徴とする遊技用管理装置である。
【０００９】
また請求項２に係る発明は、複数種類の識別情報（特別図柄）を変動表示可能な変動表示装置（１２）を備え、遊技球（パチンコ玉）を遊技領域（１１）に打ち込むことにより遊技が行われ、該打ち込まれた遊技球が前記遊技領域に設けられた始動入賞領域（始動入賞口１３）を通過したことに基づき前記変動表示装置の変動表示を行う始動条件が成立し、該成立した始動条件が保留され、該保留されている始動条件の成立（保留玉）に基づく前記変動表示装置の変動表示が行われた後の表示結果が特定の表示態様となったときに遊技者に有利な特定遊技状態（大当り状態）となり、前記変動表示装置の変動表示が行われた後の表示結果が特別の表示態様となったときに前記特定遊技状態を発生する割合が向上する特別遊技状態（確率変動状態）となる遊技機（パチンコ機１０）と、該遊技機での遊技に関連して発生した遊技関連情報を管理する遊技用管理装置（ホールコンピュータ２０）と、から構成される遊技用システム（１）であって、前記遊技機は、前記変動表示装置の変動表示を行っている旨を示す変動情報（スタート信号）を出力する変動情報出力手段（情報出力基板１７）と、前記特定遊技状態が発生した旨を示す特定遊技状態情報（大当り状態信号）を出力する特定遊技状態情報出力手段（情報出力基板１７）と、前記特別遊技状態が発生した旨を示す特別遊技状態情報（確率変動状態信号）を出力する特別遊技状態情報出力手段（情報出力基板１７）と、少なくとも前記特定遊技状態の終了後において前記保留されている始動条件の成立のうちの所定数以上の始動条件の成立又は該特定遊技状態中に発生した始動条件の成立に基づき前記変動表示装置の変動表示を行っている状態を示す保留変動状態情報（超短変動信号）を出力する保留変動状態情報出力手段（情報出力基板１７）と、を備え、前記遊技用管理装置は、前記遊技機から出力される前記変動情報を入力する変動情報入力手段（通信部２１）と、前記遊技機から出力される前記特定遊技状態情報を入力する特定遊技状態情報入力手段（通信部２１）と、前記遊技機から出力される前記特別遊技状態情報を入力する特別遊技状態情報入力手段（通信部２１）と、前記遊技機から出力される前記保留変動状態情報を入力する保留変動状態情報入力手段（通信部２１）と、前記変動情報入力手段に入力された変動情報に基づいて、単位時間当りに前記変動表示装置の変動表示が行われた変動表示回数である単位時間当り変動表示回数（Ｓ）を集計する単位時間当り変動表示回数集計手段（制御部２２）と、前記変動情報入力手段に入力された変動情報と前記特定遊技状態情報入力手段に入力された特定遊技状態情報に基づいて、一の特定遊技状態の終了後から次の特定遊技状態の発生までの間において前記変動表示装置の変動表示が行われた変動表示回数である特定遊技状態間変動表示回数（ＴＳ）を集計する特定遊技状態間変動表示回数集計手段（制御部２２）と、前記単位時間当り変動表示回数集計手段による集計結果と前記特定遊技状態間変動表示回数集計手段による集計結果を出力する出力手段（ディスプレイ２４又はプリンタ２５）と、を備え、前記単位時間当り変動表示回数集計手段は、前記保留変動状態情報入力手段に保留変動状態情報が入力されている期間における前記変動情報が示す変動表示回数を除いて前記特別遊技状態情報入力手段に特別遊技状態情報が入力されていない期間における前記単位時間当り変動表示回数（低確Ｓ）を集計すると共に、前記保留変動状態情報入力手段に保留変動状態情報が入力されている期間における前記変動情報が示す変動表示回数を除いて前記特別遊技状態情報入力手段に特別遊技状態情報が入力されている期間における前記単位時間当り変動表示回数（高確Ｓ）を集計し、前記特定遊技状態間変動表示回数集計手段は、前記保留変動状態情報入力手段に保留変動状態情報が入力されている期間における前記変動情報が示す変動表示回数を含んで前記特別遊技状態情報入力手段に特別遊技状態情報が入力されていない期間における前記特定遊技状態間変動表示回数（低確ＴＳ）を集計すると共に、前記保留変動状態情報入力手段に保留変動状態情報が入力されている期間における前記変動情報が示す変動表示回数を含んで前記特別遊技状態情報入力手段に特別遊技状態情報が入力されている期間における前記特定遊技状態間変動表示回数（高確ＴＳ）を集計することを特徴とする遊技用システムである。
【００１０】
また請求項３に係る発明は、請求項１又は２に記載した遊技用管理装置（ホールコンピュータ２０）又は遊技用システム（１）であって、前記遊技用管理装置は、前記保留変動状態情報入力手段（通信部２１）に保留変動状態情報（超短変動信号）が入力されている期間における前記変動情報（スタート信号）が示す変動表示回数を集計する保留変動状態中変動表示回数集計手段（制御部２２）を備え、前記出力手段（ディスプレイ２４又はプリンタ２５）は、該保留変動状態中変動表示回数集計手段による集計結果を出力することを特徴とする遊技用管理装置又は遊技用システムである。
【００１１】
さらに請求項４に係る発明は、請求項３に記載した遊技用管理装置（ホールコンピュータ２０）又は遊技用システム（１）であって、前記遊技用管理装置は、前記保留変動状態中変動表示回数集計手段（制御部２２）による集計結果と前記特定遊技状態情報入力手段（通信部２１）に入力された特定遊技状態情報（大当り状態信号）に基づいて、前記保留変動状態情報入力手段（通信部２１）に保留変動状態情報（超短変動信号）が入力されている期間における前記特定遊技状態（大当り状態）の発生率を算出する保留変動状態中特定遊技状態発生率算出手段（制御部２２）を備え、前記出力手段（ディスプレイ２４又はプリンタ２５）は、該保留変動状態中特定遊技状態発生率算出手段による算出結果を出力することを特徴とする遊技用管理装置又は遊技用システムである。
【００１２】
【発明の実施の形態】
以下、本発明の実施の形態を、図面を参照して説明する。本発明は、図１に示すように、遊技機（パチンコ機１０）での遊技に関連して発生した遊技関連情報を管理する遊技用管理装置（ホールコンピュータ２０）及び該遊技機と該遊技用管理装置とを備える遊技用システム１である。
【００１３】
ここで遊技機は、図２に示すように、複数種類の識別情報（特別図柄）を変動表示可能な変動表示装置１２を備え、遊技球（パチンコ玉）を遊技領域１１に打ち込むことにより遊技が行われ、該打ち込まれた遊技球（以下「打込玉」という。）が遊技領域１１に設けられた始動入賞領域（始動入賞口１３）を通過したことに基づき変動表示装置１２の変動表示を行う始動条件が成立し、該成立した始動条件が保留され、該保留されている始動条件の成立（以下「保留玉」という。）に基づく変動表示装置１２の変動表示が行われた後の表示結果が特定の表示態様となったときに遊技者に有利な特定遊技状態（以下「大当り状態」という。）となり、変動表示装置１２の変動表示が行われた後の表示結果が特別の表示態様となったときに大当り状態を発生する割合が向上する特別遊技状態（以下「確率変動状態」という。）となるパチンコ機１０である。
【００１４】
このパチンコ機１０では、大当り状態中以外の通常状態中（確率変動状態中を含む）においては、保留玉の上限数が４個とされているが、大当り状態中においては、保留玉の上限数が３０個まで増加されるように構成されている。またパチンコ機１０では、通常状態中においては、変動表示装置１２の変動表示が開始されてから停止するまでの時間（以下「変動時間」という。）が１０秒程度とされているが、大当り状態の終了後において保留されている保留玉のうちの所定条件を満たしている保留玉（例えば５個以上の保留玉）に基づき変動表示装置１２の変動表示を行っている状態（以下「保留変動状態」という。）中においては、変動表示装置１２の変動時間が１秒程度に短縮されるように構成されている。
【００１５】
本発明に係る遊技用管理装置であるホールコンピュータ２０及び遊技用システム１は、保留変動状態中における変動表示回数を考慮した適切な遊技関連情報を管理することができるものであり、具体的には、保留変動状態中における変動表示回数を除いて特別遊技状態中でない期間における単位時間当り変動表示回数である低確Ｓを集計すると共に、保留変動状態中における変動表示回数を除いて特別遊技状態中の期間における単位時間当り変動表示回数である高確Ｓを集計することができるものである。
【００１６】
また、本発明に係る遊技用管理装置であるホールコンピュータ２０及び遊技用システム１は、保留変動状態中における変動表示回数を含んで特別遊技状態中でない期間における特定遊技状態間変動表示回数である低確ＴＳを集計すると共に、保留変動状態中における変動表示回数を含んで特別遊技状態中の期間における特定遊技状態間変動表示回数である高確ＴＳを集計することができるものである。以下、ホールコンピュータ２０を含む遊技用システム１について説明する。
【００１７】
遊技用システム１は、図１に示すように、パチンコ機１０とホールコンピュータ２０とから構成される。このホールコンピュータ２０は、複数台のパチンコ機１０と通信可能とされているが、図１では図面の簡略化のためにパチンコ機１０を１台のみ表示する。このパチンコ機１０は、遊技場内に設けられる遊技島に機種等に従って配置され、台番号によって個々に識別可能とされている。
【００１８】
パチンコ機１０は前記遊技機の一例である。このパチンコ機１０の前面には、図２に示すように、変動表示装置１２，始動入賞口１３，通常状態中には開閉板１４ａにより閉成されている大入賞口１４，及び保留個数表示ランプ１５等を有する遊技領域１１と、遊技球であるパチンコ玉を遊技領域１１に打ち込むための操作を受け付ける操作ハンドル等が設けられている。またパチンコ機１０の内部には、図１に示すように、始動入賞口１３への打込玉の入賞を検出する始動入賞検出器１３ａと、遊技状態を制御する遊技制御基板１６と、各種信号を出力する情報出力基板１７等が設けられている。これらのパチンコ機１０に設けられる各機器は、図１に示すように接続されている。
【００１９】
変動表示装置１２は、複数種類の識別情報を変動表示可能なものであり、該識別情報として例えば０〜９の１０種類の特別図柄が３列に変動表示されるＬＣＤ表示器である。この変動表示装置１２の表示結果は、遊技制御基板１６により制御され、予め定められた所定の確率で大当り状態の発生及び確率変動状態の発生が表示されるように構成されている。
【００２０】
始動入賞口１３は始動入賞領域の一例であって、打込玉が該始動入賞領域を通過したこと（ここでは打込玉が始動入賞口１３に入賞して、該始動入賞口１３への打込玉の入賞が始動入賞検出器１３ａにより検出されたこと）に基づき、変動表示装置１２の変動表示を行う始動条件が成立し、該成立した始動条件が保留される。ここで保留された始動条件である保留玉の上限数は、前述の如く、通常状態中においては４個とされ、大当り状態中においては３０個まで増加される。なお保留玉の上限数を超えて始動入賞口１３に打込玉が入賞しても、始動条件は成立せずに無効とされる。この保留玉の数は、４個までは、保留個数表示ランプ１５に設けられた各個数（１〜４）を示すランプが点灯することにより表示され、５個以上３０個までは、変動表示装置１２に設けられた超過保留個数表示部１２ａに数字で表示される。
【００２１】
パチンコ機１０においては、操作ハンドルが操作されると、通常は１分間当り９９〜１００個のパチンコ玉が遊技領域１１に打ち込まれて遊技が行われ、該遊技に関連して、図１に示す各種信号が出力される。具体的には、まず遊技領域１１に打ち込まれた打込玉が始動入賞口１３に入賞すると、既に保留されている保留玉の数が上限数未満であるときには、前述の如く始動条件が成立し、該成立した始動条件が保留玉として保留される。次に変動表示装置１２の変動表示が停止しており変動表示を開始できる状態であることを条件として、保留玉が一つ減算されて、該保留玉に基づいて変動表示装置１２の変動表示が開始され、所定時間経過後（例えば４個迄の保留玉に基づき変動表示を行っているときは１０秒後、５個以上の保留玉に基づき変動表示を行っているときは１秒後）に該変動表示が停止されると共に、変動表示を行っている旨を示す変動情報として、１パルスのスタート信号が、変動情報出力手段として機能する情報出力基板１７から出力される。
【００２２】
ここで遊技制御基板１６の制御により、変動表示装置１２の変動表示が行われた後の表示結果が特定の表示態様となったとき（具体的には、前記３列の特別図柄が例えば０００〜９９９等の１０通りのゾロ目で変動表示が停止されたとき）には、遊技者に有利な特定遊技状態である大当り状態となり、開閉板１４ａにより閉成されていた大入賞口１４が開成されて打込玉が大入賞口１４に入賞可能になると共に、該大当り状態が発生した旨を示す特定遊技状態情報として、該大当り状態の発生から終了までの間において継続的な大当り状態信号が、特定遊技状態情報出力手段として機能する情報出力基板１７から出力される。なお大当り状態中には、変動表示装置１２の変動表示は行われず、該大当り状態の終了後に、保留玉に基づいて変動表示装置１２の変動表示が行われる。
【００２３】
また遊技制御基板１６の制御により、変動表示装置１２の変動表示が行われた後の表示結果が特別の表示態様となったとき（具体的には、前記３列の特別図柄が例えば１１１，３３３，５５５，７７７，９９９等の５通りのゾロ目で変動表示が停止されたとき）には、大当り状態を発生する割合が向上する特別遊技状態である確率変動状態となり、該確率変動状態が発生した旨を示す特別遊技状態情報として、該確率変動状態の発生から終了までの間において継続的な確率変動状態信号が、特別遊技状態情報出力手段として機能する情報出力基板１７から出力される。
【００２４】
さらに遊技制御基板１６の制御により、大当り状態の終了後において保留されている保留玉のうちの所定条件を満たしている保留玉（ここでは５個以上の保留玉）に基づき変動表示装置１２の変動表示を行っている保留変動状態中においては、該保留変動状態を示す保留変動状態情報として、該保留変動状態の発生から終了までの間において継続的な超短変動信号が、保留変動情報出力手段として機能する情報出力基板１７から出力される。具体的には、大当り状態の終了後において保留されている保留玉が例えば２８個である場合には、１個目〜２４個目の保留玉に基づき変動表示装置１２の変動表示を行っている状態が保留変動状態となる。なお、例えば１２個目の保留玉に基づく変動表示で大当り状態が発生した場合には、１個目〜１２個目の保留玉に基づき変動表示装置１２の変動表示を行っている状態が保留変動状態となり、残りの１３個目〜２８個目の保留玉は該大当り状態の終了後に繰り越される。
【００２５】
なお打込玉が各入賞口に入賞すると、各入賞口に対応した数のパチンコ玉が賞球として内部から払い出される。また各入賞口に入賞した打込玉及びいずれの入賞口にも入賞しなかった打込玉は、パチンコ機１０の背後における遊技島に設けられたアウトタンクに導かれ、該アウトタンクに付設された打込玉カウンタ１８により打込玉が１０個計数される毎に、打込玉数を示す情報として、１パルスの打込玉信号が、打込玉カウンタ１８から出力される。
【００２６】
ホールコンピュータ２０は遊技用管理装置の一例であって、パチンコ機１０での遊技に関連して発生した遊技関連情報を管理するものである。このホールコンピュータ２０は、遊技場内の所定箇所（例えば管理事務所等）に設けられ、図１に示すように接続される通信部２１，制御部２２，ハードディスク２３，ディスプレイ２４，及びプリンタ２５を備えている。
【００２７】
通信部２１は、パチンコ機１０の情報出力基板１７と通信可能に接続されており、パチンコ機１０から出力される各種信号を入力するものである。この通信部２１は、前記変動情報であるスタート信号を入力する変動情報入力手段，前記特定遊技状態情報である大当り状態信号を入力する特定遊技状態情報入力手段，前記特別遊技状態情報である確率変動状態信号を入力する特別遊技状態入力手段，及び前記保留変動状態情報である超短変動信号を入力する保留変動状態情報入力手段として機能するものである。また通信部２１は、打込玉カウンタ１８とも通信可能に接続されており、前記打込玉信号も入力される。
【００２８】
制御部２２はＣＰＵ，ＲＡＭ，ＲＯＭ等を備え、ハードディスク２３に記憶されている処理プログラムがＲＡＭを作業領域としてＣＰＵで実行されることにより、ホールコンピュータ２０に設けられる各構成要素の動作を制御して各種の処理を行うものである。
【００２９】
この制御部２２は保留変動状態中変動表示回数集計手段の一例であって、通信部２１に超短変動信号が入力されている期間におけるスタート信号が示す変動表示回数を集計するものであり、具体的には、図３に示すように、超短変動信号が入力されている期間において、スタート信号の入力パルス数をカウントすることにより、保留変動状態中変動表示回数を大当り状態の発生毎に集計する。
【００３０】
また制御部２２は単位時間当り変動表示回数集計手段の一例であって、通信部２１に入力されたスタート信号（及びここでは打込玉信号）に基づいて、単位時間当りに変動表示装置１２の変動表示が行われた変動表示回数である単位時間当り変動表示回数Ｓを集計するものであり、具体的には、（スタート信号の入力パルス数をカウントした変動表示回数）÷（大当り状態期間外の打込玉信号の入力パルス数をカウントして信号比１０を乗じた打込玉数）×１０００の式で、大当り状態期間外の打込玉１０００個当りの変動表示回数である単位時間当り変動表示回数Ｓを大当り状態の発生毎に算出する。
【００３１】
なお、単位時間当り変動表示回数Ｓは、特別遊技状態（確率変動状態）中でない期間における単位時間当り変動表示回数である低確Ｓと、特別遊技状態（確率変動状態）中の期間における単位時間当り変動表示回数である高確Ｓとに区分して集計される。ここでは、単位時間当り変動表示回数集計手段である制御部２２は、通信部２１に超短変動信号が入力されている期間におけるスタート信号が示す変動表示回数（即ち前記保留変動状態中変動表示回数集計手段により集計された保留変動状態中変動表示回数）を除いて通信部２１に確率変動状態信号が入力されていない期間における単位時間当り変動表示回数Ｓを低確Ｓとして集計すると共に、通信部２１に超短変動信号が入力されている期間におけるスタート信号が示す変動表示回数を除いて通信部２１に確率変動状態信号が入力されている期間における単位時間当り変動表示回数Ｓを高確Ｓとして集計するが、その詳細については図４を参照して後述する。
【００３２】
また制御部２２は特定遊技状態間変動表示回数集計手段の一例であって、通信部２１に入力されたスタート信号と大当り状態信号に基づいて、一の大当り状態の終了後から次の大当り状態の発生までの間において変動表示装置１２の変動表示が行われた変動表示回数である特定遊技状態間変動表示回数ＴＳを集計するものであり、具体的には、一の大当り状態信号が入力されなくなってからスタート信号の入力パルス数のカウントを開始し、次の大当り状態信号が入力されたときにスタート信号の入力パルス数のカウントを停止して、該停止時のカウント数が示す変動表示回数である特定遊技状態間変動表示回数ＴＳを大当り状態の発生毎に算出する。
【００３３】
なお、特定遊技状態間変動表示回数ＴＳは、特別遊技状態（確率変動状態）中でない期間における特定遊技状態間変動表示回数である低確ＴＳと、特別遊技状態（確率変動状態）中の期間における特定遊技状態間変動表示回数である高確ＴＳとに区分して集計される。ここでは、特定遊技状態間変動表示回数集計手段である制御部２２は、通信部２１に超短変動信号が入力されている期間におけるスタート信号が示す変動表示回数（即ち前記保留変動状態中変動表示回数集計手段により集計された保留変動状態中変動表示回数）を含んで通信部２１に確率変動状態信号が入力されていない期間における特定遊技状態間変動表示回数ＴＳを低確ＴＳとして集計すると共に、通信部２１に超短変動信号が入力されている期間におけるスタート信号が示す変動表示回数を含んで通信部２１に確率変動状態信号が入力されている期間における特定遊技状態間変動表示回数ＴＳを高確ＴＳとして集計するが、その詳細については図４を参照して後述する。
【００３４】
さらに制御部２２は保留変動状態中特定遊技状態発生率算出手段の一例であって、前記保留変動状態中変動表示回数集計手段による集計結果と通信部２１に入力された大当り状態信号に基づいて、通信部２１に超短変動信号が入力されている期間における大当り状態の発生率を算出するものであり、具体的には、超短変動信号が入力されている期間において大当り状態信号の入力があったときには、後述する図４に示すように、該大当り状態信号が示す大当り状態の発生回数である大当り回数と対応付けて、保留変動状態中大当りである旨を記憶し、保留変動状態中大当り回数÷総大当り回数の式で、保留変動状態中大当り発生率を算出する。
【００３５】
ハードディスク２３は、制御部２２により集計・算出された遊技関連情報を記憶するものである。このハードディスク２３には、図４に示すように、日付毎のデータテーブルが設けられており、各データテーブルでは、パチンコ機１０の台番号毎に、前述の如く制御部２２により集計・算出された遊技関連情報が記憶される。具体的には、大当り状態の発生回数である大当り回数と対応付けて、該大当り状態で確率変動状態が発生したか否か，一つ前の大当り状態から該大当り状態まで（１回目の大当り状態については、パチンコ機１０の稼働開始から該１回目の大当り状態まで）における単位時間当り変動表示回数である低確Ｓ又は高確Ｓ，一つ前の大当り状態から該大当り状態まで（１回目の大当り状態については、パチンコ機１０の稼働開始から該１回目の大当り状態まで）における特定遊技状態間変動表示回数である低確ＴＳ又は高確ＴＳ，該大当り状態の終了後における保留変動状態中変動表示回数，及び該大当り状態が保留変動状態中大当りであるか否かが記憶される。
【００３６】
ここで単位時間当り変動表示回数Ｓとしては、単位時間当り変動表示回数集計手段により前述の如く、保留変動状態中変動表示回数を除いて集計された値が低確Ｓと高確Ｓとに区分されて記憶される。具体的には、２回目の大当り状態に対応する単位時間当り変動表示回数Ｓ（＊２）としては、１回目の大当り状態から２回目の大当り状態までにおける変動表示回数に基づいて単位時間当り変動表示回数が集計されるが、１回目の大当り状態の終了から２回目の大当り状態の開始までの間に確率変動状態信号が入力されていないため（図３）、該単位時間当り変動表示回数Ｓ（＊２）は、１回目の大当り状態の終了後における保留変動状態中変動表示回数（＊１）を除いて確率変動状態信号が入力されていない期間における単位時間当り変動表示回数である低確Ｓとして集計され、記憶される。
【００３７】
また、３回目の大当り状態に対応する単位時間当り変動表示回数Ｓ（＊５）としては、２回目の大当り状態から３回目の大当り状態までにおける変動表示回数に基づいて単位時間当り変動表示回数が集計されるが、２回目の大当り状態の終了から３回目の大当り状態の開始までの間に確率変動状態信号が入力されているため（図３）、該単位時間当り変動表示回数Ｓ（＊５）は、２回目の大当り状態の終了後における保留変動状態中変動表示回数（＊４）を除いて確率変動状態信号が入力されている期間における単位時間当り変動表示回数である高確Ｓとして集計され、記憶される。
【００３８】
また特定遊技状態間変動表示回数ＴＳとしては、特定遊技状態間変動表示回数集計手段により前述の如く保留変動状態中変動表示回数を含んで集計された値が低確ＴＳと高確ＴＳとに区分されて記憶される。具体的には、２回目の大当り状態に対応する特定遊技状態間変動表示回数ＴＳ（＊３）としては、１回目の大当り状態から２回目の大当り状態までにおける変動表示回数に基づいて特定遊技状態間変動表示回数が集計されるが、１回目の大当り状態の終了から２回目の大当り状態の開始までの間に確率変動状態信号が入力されていないため（図３）、該特定遊技状態間変動表示回数ＴＳ（＊３）は、１回目の大当り状態の終了後における保留変動状態中変動表示回数（＊１）を含んで確率変動状態信号が入力されていない期間における特定遊技状態間変動表示回数である低確ＴＳとして集計され、記憶される。
【００３９】
また、３回目の大当り状態に対応する特定遊技状態間変動表示回数ＴＳ（＊６）としては、２回目の大当り状態から３回目の大当り状態までにおける変動表示回数に基づいて特定遊技状態間変動表示回数が集計されるが、２回目の大当り状態の終了から３回目の大当り状態の開始までの間に確率変動状態信号が入力されているため（図３）、該特定遊技状態間変動表示回数ＴＳ（＊６）は、２回目の大当り状態の終了後における保留変動状態中変動表示回数（＊４）を含んで確率変動状態信号が入力されている期間における特定遊技状態間変動表示回数である高確ＴＳとして集計され、記憶される。このように、特定遊技状態間変動表示回数からは保留変動状態中変動表示回数は除かれず、特定遊技状態間変動表示回数である低確ＴＳ又は高確ＴＳとして集計された値がそのまま記憶される。
【００４０】
なおハードディスク２３には、単位時間当り変動表示回数である低確Ｓ及び高確Ｓを各々対応するすべての大当り回数について平均した平均値（平均低確Ｓ及び平均高確Ｓ），特定遊技状態間変動表示回数である低確ＴＳ及び高確ＴＳを各々対応するすべての大当り回数について平均した平均値（平均低確ＴＳ及び平均高確ＴＳ），及び保留変動状態中変動表示回数をすべての大当り回数について平均した平均値が記憶されると共に、保留変動状態中特定遊技状態発生率算出手段により前述の如く算出された保留変動状態中大当り発生率も記憶される。
【００４１】
ディスプレイ２４は、各種の情報を表示する表示デバイスである。プリンタ２５は、各種の情報を紙等に印刷する印刷デバイスである。これらディスプレイ２４及びプリンタ２５は出力手段の一例であって、単位時間当り変動表示回数集計手段による集計結果である低確Ｓ及び高確Ｓ，特定遊技状態間変動表示回数集計手段による集計結果である低確ＴＳ及び高確ＴＳ，保留変動状態中変動表示回数集計手段による集計結果である保留変動状態中変動表示回数，及び保留変動状態中特定遊技状態発生率算出手段による算出結果である保留変動状態中大当り発生率を出力するものであり、具体的には、図４に示す内容が出力される。
【００４２】
本発明に係るホールコンピュータ２０及び遊技用システム１では、図１に示すように、パチンコ機１０から出力された超短変動信号がホールコンピュータ２０に入力され、該ホールコンピュータ２０において、図４に示すように、保留変動状態中変動表示回数を除いた単位時間当り変動表示回数である低確Ｓ及び高確Ｓが集計されて出力されると共に、保留変動状態中における変動表示回数を含む特定遊技状態間変動表示回数である低確ＴＳ及び高確ＴＳが集計されて出力されるので、低確Ｓや高確Ｓが大当り状態の終了後のみ極端に上がってしまうことがなく、かつ正確な低確ＴＳ及び高確ＴＳとなることにより、遊技場にとって、出玉率の調整（いわゆる釘調整）の指標として用いる適切なデータとなる。
【００４３】
また図４に示すように、保留変動状態中変動表示回数が集計されて出力されるので、大当り状態の終了後において、所定数以上（ここでは５個以上）の保留玉がどの程度あるかを把握できることにより、遊技場にとって、大当り状態中における保留玉も考慮した出玉率の調整（いわゆる釘調整）の指標として用いるデータとなる。
【００４４】
さらに図４に示すように、保留変動状態中大当り状態発生率が算出されて出力されるので、大当り状態が連続して発生している状況及びパチンコ機１０の特性を把握できることにより、遊技場にとって、該大当り状態の連続発生状況及びパチンコ機１０の特性も考慮した出玉率の調整（いわゆる釘調整）の指標として用いるデータとなる。
【００４５】
最後に、本発明の変形例について説明する。
【００４６】
上記の実施形態では、遊技機が、内部からパチンコ玉が払い出されるタイプのパチンコ機１０である例について説明したが、これに限らず、該遊技機は、パチンコ玉が指触不能に封入されると共に入賞口への入賞に応じて得点が付与される封入式のパチンコ機や、遊技領域やパチンコ玉が画像にて表示されると共に入賞に応じて得点が付与される画像式のパチンコ機や、入賞口への入賞に応じてクレジットが加算されるクレジット式のパチンコ機であっても良い。即ち遊技機は、遊技球（パチンコ玉）を遊技領域に打ち込むことにより遊技が行われるものであれば良い。
【００４７】
上記の実施形態では、通常状態中における始動条件の成立（保留玉）の上限数が４個であり、大当り状態中における始動条件の成立の上限数が３０個まで増加される例について説明したが、これらの上限数は任意に設定変更可能である。また該上限数を常に一定の任意の数（例えば通常状態中も大当り状態中も３０個）としても良く、さらに該上限数を無くして、遊技領域１１に打ち込まれた遊技球（打込玉）が始動入賞領域（始動入賞口）を通過したときには、常に始動条件が成立するようにしても良い。
【００４８】
上記の実施形態では、特定遊技状態（大当り状態）の終了後において保留されている始動条件の成立（保留玉）のうちの５個以上の保留玉に基づき変動表示装置１２の変動表示を行っている状態が保留変動状態である例について説明したが、これに限らず、該保留変動状態は、特定遊技状態の終了後において保留されている始動条件の成立のうちの所定数以上の始動条件の成立に基づき変動表示装置１２の変動表示を行っている状態であれば良く、該所定数は任意に設定変更可能である。
【００４９】
また該保留変動状態は、特定遊技状態（大当り状態）の終了後において保留されている始動条件の成立（保留玉）のうちの該特定遊技状態中に発生した始動条件の成立に基づき変動表示装置１２の変動表示を行っている状態であっても良い。具体的には、３個の保留玉が保留されている状態で大当り状態が発生し、該大当り状態中に２５個の保留玉が保留された場合には、該大当り状態中に保留された２５個の保留玉に基づき変動表示装置１２の変動表示を行っている状態が保留変動状態となる。
【００５０】
即ち、少なくとも特定遊技状態（大当り状態）の終了後において保留されている始動条件の成立（保留玉）のうちの所定数以上の始動条件の成立又は該特定遊技状態中に発生した始動条件の成立に基づき変動表示装置１２の変動表示を行っている状態が保留変動状態である。
【００５１】
上記の実施形態では、保留変動状態中において、変動表示装置１２の変動時間が１秒程度に短縮される例について説明したが、該変動時間は任意に設定変更可能である。また保留変動状態中において、変動表示装置１２の変動時間が短縮されなくても良い。
【００５２】
上記の実施形態では、変動表示装置１２がＬＣＤ表示器である例について説明したが、これに限らず、該変動表示装置１２は他の表示器（ドラムやドットマトリックス等）であっても良く、この場合には、前記超過保留個数表示部１２ａに表示される保留玉の数を表示するための表示手段が別途設けられる。
【００５３】
上記の実施形態では、変動情報（スタート信号）が、変動表示装置１２の変動表示が停止した後に変動情報出力手段（情報出力基板１７）から出力される例について説明したが、これに限らず、該変動情報は、変動表示装置１２の変動表示が開始された後に変動情報出力手段から出力されるようにしても良い。即ち変動情報は、変動表示を行っている旨を示す情報であれば良い。
【００５４】
上記の実施形態では、始動入賞領域が、賞球が付与される始動入賞口１３である例について説明したが、これに限らず、該始動入賞領域は、賞球が付与されない通過領域（いわゆるスルーチャッカー）であっても良い。即ち始動入賞領域は、遊技領域１１に打ち込まれた遊技球（打込玉）が通過したときに始動条件が成立するものであれば良い。
【００５５】
上記の実施形態では、単位時間当り変動表示回数Ｓが、特定遊技状態外の打込玉１０００個当りの変動表示回数である例について説明したが、これに限らず、該単位時間当り変動表示回数は、特定遊技状態外の打込玉１００個当りの変動表示回数，特定遊技状態外の１０分間当りの変動表示回数，又は特定遊技状態外の１分間当りの変動表示回数等でも良い。
【００５６】
上記の実施形態では、単位時間当り変動表示回数Ｓが、各特定遊技状態（大当り状態）間の変動表示回数と打込玉数に基づいて算出され、低確Ｓ又は高確Ｓに区分して集計される例について説明したが、これに限らず、低確Ｓが遊技機（パチンコ機１０）の稼働開始から各特定遊技状態の発生までの間における、特別遊技状態（確率変動状態）中でない期間の変動表示回数の累積値と打込玉数の累積値に基づいて算出され、高確Ｓが遊技機の稼働開始から各特定遊技状態の発生までの間における、特別遊技状態中である期間の変動表示回数の累積値と打込玉数の累積値に基づいて算出されるものでも良い。このとき低確Ｓは（特別遊技状態中でない期間の変動表示回数の累積値−特別遊技状態中でない期間の保留変動状態中変動表示回数の累積値）÷（特別遊技状態中でない期間の打込玉数の累積値−特定遊技状態中である期間の打込玉数の累積値）で算出され、高確Ｓは（特別遊技状態中である期間の変動表示回数の累積値−特別遊技状態中である期間の保留変動状態中変動表示回数の累積値）÷（特別遊技状態中である期間の打込玉数の累積値）で算出される。
【００５７】
上記の実施形態では、単位時間当り変動表示回数である低確Ｓ及び高確Ｓと、該低確Ｓ及び高確Ｓを各々対応するすべての大当り回数について平均した平均値（平均低確Ｓ及び平均高確Ｓ）が、記憶及び出力される例について説明したが、該低確Ｓ及び高確Ｓの最大値（低確Ｓｍａｘ及び高確Ｓｍａｘ）と該低確Ｓ及び高確Ｓの最小値（低確Ｓｍｉｎ及び高確Ｓｍｉｎ）も記憶及び出力されるようにしても良い。
【００５８】
【発明の効果】
本発明に係る遊技用管理装置及び遊技用システムによれば、以下のような効果を奏する。
【００５９】
まず請求項１に係る遊技用管理装置によれば、遊技機から出力された保留変動状態情報が入力され、該入力された保留変動状態情報に基づいて、保留変動状態中における変動表示回数を除いた低確Ｓ及び高確Ｓが集計されて出力されると共に、保留変動状態中における変動表示回数を含む低確ＴＳ及び高確ＴＳが集計されて出力されるので、低確Ｓ及び高確Ｓが特定遊技状態の終了後のみ極端に上がってしまうことがなく、かつ正確な低確ＴＳ及び高確ＴＳとなることにより、遊技場にとって、出玉率の調整の指標として用いる適切なデータとなる。
【００６０】
また請求項２に係る遊技用システムによれば、遊技機から出力された保留変動状態情報が遊技用管理装置に入力され、該遊技用管理装置において、該入力された保留変動状態情報に基づいて、保留変動状態中における変動表示回数を除いた低確Ｓ及び高確Ｓが集計されて出力されると共に、保留変動状態中における変動表示回数を含む低確ＴＳ及び高確ＴＳが集計されて出力されるので、低確Ｓ及び高確Ｓが特定遊技状態の終了後のみ極端に上がってしまうことがなく、かつ正確な低確ＴＳ及び高確ＴＳとなることにより、遊技場にとって、出玉率の調整の指標として用いる適切なデータとなる。
【００６１】
また請求項３に係る遊技用管理装置又は遊技用システムによれば、保留変動状態中における変動表示回数が集計されて出力されるので、特定遊技状態の終了後において、所定数以上の始動条件の成立又は該特定遊技状態中に発生した始動条件の成立がどの程度あるかを把握できることにより、遊技場にとって、特定遊技状態中における始動条件の成立も考慮した出玉率の調整の指標として用いるデータとなる。
【００６２】
さらに請求項４に係る遊技用管理装置又は遊技用システムによれば、保留変動状態中における特定遊技状態の発生率が算出されて出力されるので、特定遊技状態が連続して発生している状況及び遊技機の特性を把握できることにより、遊技場にとって、該特定遊技状態の連続発生状況及び遊技機の特性も考慮した出玉率の調整の指標として用いるデータとなる。
【図面の簡単な説明】
【図１】図１はパチンコ機及びホールコンピュータを含む遊技用システムの一例を表す機能ブロック図である。
【図２】図２はパチンコ機の一例を表す正面図である。
【図３】図３はホールコンピュータの通信部に入力される各種信号の一例を表すタイミングチャートである。
【図４】図４はホールコンピュータのハードディスクに記憶される遊技関連情報の一例を表す図である。
【符号の説明】
１…遊技用システム
１０…パチンコ機
１１…遊技領域
１２…変動表示装置
１３…始動入賞口
１７…情報出力基板
２０…ホールコンピュータ
２１…通信部
２２…制御部
２４…ディスプレイ
２５…プリンタ
【図１】
2005006861.tif 000003
【図２】
2005006861.tif 000004
【図３】
2005006861.tif 000005
【図４】
2005006861.tif 000006